(57)【要約】【課題】パソコン、プリンター、デジカメ等が何時何処誰でも使える環境にある今日の印刷技術の発展に伴い、これに対応する印刷媒体には便利で簡単かつオリジナリティの発揮できる機能を備えた用紙が求められる。誰もが使う郵便ハガキや封筒及び便箋又は社封筒を含むＤＭや説明書並びに案内書やチケット類に使われるそれぞれの用紙をたった一枚の用紙のみで全てを含む封書にできる、往復書簡や郵送パックにも使える汎用の包装通信用具である書込印刷用紙を提供する。【解決手段】各種サイズの紙に切手貼枠及び郵便番号枠を印刷表示した用紙を用いて、ハガキ及び封筒を成形する３本の主要構造ミシン目を入れ備えた上で、封筒を含むＤＭや説明書並びに案内書やチケット類を一枚用紙で制作することのできる複数ののりしろと切り折り兼用ミシン目を設けた書込印刷用紙を製造する。【選択図】      図１
2004181923.tif 000002
【特許請求の範囲】
【請求項１】
日本工業規格Ａ列４番又は３番もしくは同Ｂ列５番又は４番、その他Ａ３ノビ用紙並びに、多様な印刷媒体用紙を含む各種のフリーサイズ紙に対して、郵便番号枠、切手貼枠、ハガキ封筒用紙取扱方法等を表示した用紙又は印刷媒体を用いて、ミシン目切取りによる郵便ハガキ及びミシン目折りで封筒製品にできる規格に準拠した許容範囲内サイズに定めるための縦１本のミシン目（１）と横２本のミシン目（２、３）を入れた印刷用紙並びに、郵便ハガキもしくは封筒及び封書にも併用できる１枚の用紙をハガキ封筒用紙と称して、書き込みや印刷にも使用できる、簡易ミシン目付ハガキ封筒用紙。
【請求項２】
ミシン目付の郵便ハガキ及び封筒並びに封書制作用紙であることを表示した用紙Ｂ５、Ｂ４、Ａ４、Ａ３、Ａ３ノビ、他の商業印刷用紙サイズのそれぞれの用紙を縦に用いて、密封用のりしろ部分と開封用ミシン目部分が機能を共有するように設けた縦２本のミシン目（６、７）を左右端に入れた後、さらにハガキ又は封筒の横巾サイズを定めるための横２本のミシン目（２、３）に対して、縦サイズを定めるための縦１本のミシン目（１）を設けて、のりしろ用及び切取り用ミシン目並びに折曲げ用ミシン目もしくは切り折り曲げ兼用ミシン目を入れたハガキ封筒用紙でミシン目付ハガキ封書と称する通信媒体を制作できる、のりしろ開封ミシン目付ハガキ封筒用紙。
【請求項３】
主要構造ミシン目（１、２、３）を入れた簡易ミシン目付ハガキ封筒用紙である請求項１記載の用紙Ｂ５、Ｂ４、Ａ４、Ａ３、Ａ３ノビ、その他サイズを用いて、各用紙の裏面余白スペース部分に表面と同様の郵便番号枠、切手貼枠、用紙取扱方法等を表示することで往復ハガキ又は往復封筒にできることを特徴とする、簡易ミシン目付往復ハガキ封筒用紙並びに、のりしろを兼ねる開封用ミシン目の入った請求項２記載の用紙を用いて、往復書簡及び往復郵便包装パッケージ類が作成できる、のりしろ開封ミシン目付往復ハガキ封筒用紙。
【請求項４】
用紙Ｂ５、Ｂ４、Ａ４、Ａ３、Ａ３ノビ、その他サイズ紙の最上部分にのりしろ用と開封用を兼ね備える横ミシン目（５）を入れた後に、ハガキ及び封筒のサイズを定めるための縦１本のミシン目（１）と横２本のミシン目（２、３）を入れた用紙を用いて、ミシン目（３）以下の部分又は用紙余白部分を細分化折込収納するためのミシン目（４）を入れた、折込収納型簡易ミシン目付ハガキ封筒用紙並びに用紙の左右両サイドに対してさらにのりしろ開封用ミシン目（６、７）を縦に入れた、折込収納型開封ミシン目付きハガキ封筒用紙。
【請求項５】
ミシン目付ハガキ封筒用紙であることを印刷表示した用紙Ｂ５、Ｂ４、Ａ４、Ａ３、Ａ３ノビ、その他サイズに対して、ミシン目（１、２、３、４、５、６、７）を入れた請求項４記載のミシン目付ハガキ封筒用紙を用いて、用紙の中央にセンター折用ミシン目（８）を入れ、２ツ折して封筒を作る場合にミシン目（５）の対となるのりしろ付ミシン目（９）、もしくは（８）又は他を折り返して作る返信封筒制作時に、ミシン目（５）と同様の機能を持つのりしろ付ミシン目（９）を最下部に設けた、２ツ折開封ミシン目付ハガキ封筒用紙並びに、２ツ折兼用折込型開封ミシン目付往復ハガキ封筒用紙。
【請求項６】
ミシン目付ハガキ封筒用紙であることを印刷表示した用紙Ｂ５、Ｂ４、Ａ４、Ａ３、Ａ３ノビ、その他サイズに対して、ミシン目（１、２、３、４、５、６、７、８、９）体裁を入れた請求項５記載のミシン目付ハガキ封筒用紙のあて名表示面以外の余白スペース部分をさらに目的用途に応じて複数の折込用ミシン目又は分割カード化、クーポン券、チケット機能化、複合成形化するための細分化用ミシン目（１０）を入れ設けた書込印刷用紙及び裏面を往復ハガキ又は往復封筒仕様に製造した複合成形折込型ミシン目付ハガキ封筒用紙。
【請求項７】
用紙Ｂ５、Ｂ４、Ａ４、Ａ３、Ａ３ノビ、その他サイズに、主要構造ミシン目（１、２、３）を入れた請求項１記載の簡易ミシン目付ハガキ封筒用紙及び密封用のりしろと開封用ミシン目機能を共有する用紙両サイドミシン目（６、７）を追加した請求項２記載の、のりしろ開封ミシン目付ハガキ封筒用紙並びに、用紙裏面を返信用ハガキ封筒仕様にした請求項３記載の簡易又はのりしろ開封ミシン目付往復ハガキ封筒用紙並びに、用紙最上部にのりしろ用又はのりしろ開閉兼用ミシン目（５）、あて名表示部分以下の余白スペースに折込収納用ミシン目（４）を追加した請求項４記載の折込収納型開封ミシン目ハガキ封筒用紙並びに、余白スペースを細分成形化する複数の分割用ミシン目（１０）を追加した請求項６記載の複合成形折込型ミシン目付ハガキ封筒用紙並びに、用紙全体を２ツ折にする場合のセンター折用ミシン目（８）と２ツ折封筒及び返信封書制作用のりしろミシン目（９）を併設した請求項５記載の２ツ折兼用折込型開封ミシン目付往復ハガキ封筒用紙を用いた書込用紙、印刷用紙、用紙詰合パック、紙製文具、チラシ、ＤＭ、パンフ、チケット、クーポン券、カード類、絵はがきを含む印刷物及びミシン目付ハガキ封筒用紙を付録した雑誌や編集物、ミシン目をフォーマットしたハガキと封筒の兼用用紙並びにミシン目付ハガキ封書。
【発明の詳細な説明】
【０００１】
【発明の属する技術分野】
本発明は、あらゆるサイズの用紙を用いて、郵便ハガキ又は封筒及び封筒に入れる便箋としての納入用紙をも一枚の同一用紙で印刷や書込制作して封書にできる機能を持つ、のりしろと切折兼用のミシン目を入れ備えたハガキ封筒用紙を制作使用した印刷物及び郵便物又は包装パッケージ並びにその製造方法に関する。
【０００２】
【従来の技術】
従来の郵便ハガキ又は封筒においては、その製品形状や印刷工程及び使用方法がそれぞれに異なる個別の用紙であるから、用紙の選定、印刷、刷込、書込、制作、投函に用いるハガキ又は封筒及び納入用紙は、個々別々の用紙又は製品としている。よって、印刷物にミシン目を設ける従来の方法は、印刷を完了した後にその印刷内容に付随して、個々の印刷物にいちいちミシン目を入れる。ついては、郵便ハガキ又は封筒及び封書への納入用紙等それぞれに書込や印刷をしている。
【０００３】
【発明が解決しようとする課題】
従来のハガキ又は封筒にあっては、完成したハガキ又は封筒を利用する方法以外に、用紙の選定、印刷、断裁、ミシン目入れ等において、個人は勿論、商店や企業の印刷物はすべて専門業者頼みであり、低廉で新しく普及した今日のパソコンとデジタル印刷機があれば数量の多少を問わず、随時簡単に対応できるのにも関わらず、たった一枚の用紙でハガキと封筒と納入用紙の併用ができるフォーマット済みのミシン目入り用紙が無かったので、新ためて別々の用紙に繁雑で煩わしい印刷や書込及びミシン目入れをしなければならないという問題点があった。
本発明は、以上のような課題を解決するためになされたものである。
【０００４】
【課題を解決するための手段】
上記の問題点を解決するために、本発明は、たった一枚の用紙がハガキと封筒と納入用紙のいづれにも利用できるように一体化して、しかも必要に応じてサイズも選択できる一枚の用紙のみを用いることで、手書用又はコピー用、プリンター用、大量印刷用にも対応できる普通用紙の他、特殊な印刷媒体にも、のりしろと切り折り兼用ミシン目フォーマットを備え設けることとしている。
よって、このようなミシン目付ハガキ封筒用紙を用いて表現される文章や写真、ついては、封筒への納入物品においてまでも一体表現できることから、用紙裏面を利用した返信ハガキ又はミシン目を逆に折り返して返信封筒に再使用すると、表現内容の伝達と目的達成において、新しい効果と成果を生じさせてくれる。
【０００５】
【発明の実施の形態】
本発明は、コピーや印刷又は手書用に汎用されるＢ５、Ｂ４、Ａ４、Ａ３、Ａ３ノビ、その他サイズの用紙に切手枠と郵便番号枠と当用紙がミシン目付ハガキ封筒用紙であることを印刷表示して、郵便ハガキ及び封筒の規格サイズに準拠する範囲内に３本の主要構造ミシン目を入れるとともに、さらに用紙の余白スペース部分を送信用、返信用及び封書の便箋用並びに封筒をより堅牢化するのりしろとその開封用ミシン目並びに余白部分折込用ミシン目並びに余白部分細分化用ミシン目のそれぞれが一枚の用紙上で機能的に相互作用する、複数のミシン目を入れ備えたフォーマット済み印刷用紙である。
【０００６】
上記用紙が手書や印刷において、汎用のコピー機およびプリンターに対応した使い易い用紙である必用から、切手枠郵便番号枠の印刷位置は、ハガキ又は封筒サイズを確定する主要な３本ミシン目と追加する複数のミシン目とが相関関係にあるので、厳密なサイズ調整と表示がなければならない。ついては、用紙全体の縦右上部端に切手貼枠を表示して、ハガキ部分を正面右上横置きに位置することが用紙製造基準及び刷込並びに印刷用紙基準として好ましい。
【０００７】
また、それぞれのサイズ用紙を縦に用いて入れ備えるミシン目について、縦１本がハガキの縦長辺サイズを確定し、横２本がハガキ又は封筒の横短辺サイズを確定してミシン目付ハガキ封筒用紙を形成するので、いづれの用紙にも縦ミシン目の左部分及び横下段ミシン目の下部分に用紙全体の余白スペース部分が発生する。ついては、この部分を用紙裏面内側に折り込むことによって、用紙裏表全体を封筒に入れる便箋用又は納入用紙として書込や印刷に活用することができる。
【０００８】
なお、ハガキの縦サイズを決める縦ミシン目の機能と役割の活用では、用紙頂上から下方に向けて主要横ミシン目一本目迄で止めると、ハガキ１枚用に、横２本目ミシン目迄下げると、２枚分のハガキである往復ハガキとなる。また、見えにくいミシン目をも補完するので、表面と同じく、裏面にも切手枠郵便番号枠を印刷表示すれば、返信用ハガキに使えるだけでなく、用紙余白スペースに書込みした後にミシン目折を逆に折り返して、返信用封筒にすることも可能となるので、下段の横ミシン目迄、もしくは紙面上の中途で下げ止めるのが好ましい。
【０００９】
そして、この途中止めする縦ミシン目の位置については、用紙サイズが大型で主要構造３本ミシン目枠外の左と下部分の余白が大きくなり、封筒にしては長すぎる場合が生じるＡ３サイズ以上の用紙では、全体を縦に山折収納できるよう途中止めしないで紙面最下部までミシン目を入れ設けるのが好ましい。
新聞紙面大の用紙サイズでは、さらに別途、折込収納用に縦の折込用ミシン目を加え入れ備えておくのが望ましい。
【００１０】
また、ハガキおよび封筒の短辺サイズを定める上段と下段の横ミシン目間隔は、往復ハガキを形成できるよう上下２枚の巾を同サイズにする。この用紙の下部余白部分を折り込んで封筒状態を形成する場合に、再び用紙が開かないよう、上下左３方の縁部分を簡単に軽くのり付けすることで封書が完成する。これが、のりしろスペース部分を用紙に備えていない簡易ミシン目付ハガキ封筒用紙である。
【００１１】
なお、上記の簡易ミシン目付ハガキ封筒用紙を製造する場合に、最初から用紙の最上部分に封書を密封するためののりしろ部分を別途に設けて、さらに、この部分にミシン目を入れ備えることで、のりしろミシン目を折曲げて密封できる堅牢な簡易ミシン目付ハガキ封筒用紙を製造する。
【００１２】
そして、上記した用紙全体の最上部分にミシン目付のりしろ部分を設けた上で、さらに用紙の左右両サイドにも同様ののりしろとミシン目を設けることによって、封筒の上下部が堅牢となるから、封書だけでなく、他の物品をも封入できる開閉用ミシン目のある開閉し易いのりしろ開封ミシン目付ハガキ封筒用紙に製造する。
【００１３】
また、上記の簡易ミシン目付ハガキ封筒用紙及びのりしろ開封用ミシン目付ハガキ封筒用紙を用いて、さらに、ハガキ部分以外の余白部分に文章や写真以外の引換券、クーポン券、チケット、シールやカード類を付け足すための細分化用ミシン目を入れ備えることで、用紙用途がより以上に拡大される。
【００１４】
前記したこれらのハガキ封筒用紙を封筒又は封書にした場合は、すべて最初に定めた主要構造３本ミシン目に基づいたサイズに収束されるが、これらの用紙を用いて、さらに、用紙中央に二ツ折用横ミシン目とそのミシン目機能を補完するのりしろ開封用ミシン目を用紙最下部に設けることで、それぞれの用紙の２分の１サイズである大きい封筒を制作できる。ついては、普通の郵便用だけでなく、社封筒用、梱包用、広告宣伝用等に幅広く活用される用途多様な印刷用紙とする。
【００１５】
【実施例】
実施例について図面を参照して説明すると、図１において、あらゆるサイズの用紙を縦にする。この用紙表面の右端上部分Ａを郵便ハガキの宛名用に切手貼枠と郵便番号枠を表示することを印刷用紙基準とする。ついては、用紙の最上部分に裏面がのりしろａであると表示してミシン目５を入れる。そして、用紙の左右両サイドｂ、ｃにも同様に、裏面がのりしろと表示してミシン目６、７を設ける。もしも用紙全体を２ツ折してのりしろａと最下部のりしろｄを重ねて封筒にする場合や返信用封筒に再使用する場合に必要となるから、用紙最下部にも同様に、裏面がのりしろと表示して、ミシン目９を入れ備える。これらののりしろやミシン目を設けた用紙裏表全体の内側スペース部分に郵便ハガキ又は封筒並びに封書及び収納用紙類の書込印刷媒体に機能形成する複数のミシン目を入れ設ける。まずは、郵便ハガキサイズ規格に準拠する許容範囲内で、ハガキの短辺サイズを確定する縦ミシン目１を入れ、長辺サイズを設定する横ミシン目２を入れた後に、封書又は往復ハガキを形成するための横ミシン目３を設ける。ついては、この機軸となるミシン目１、２、３をあらゆるサイズの用紙をハガキ封筒用紙に製造するための主要構造ミシン目と称した。
【００１６】
主要構造ミシン目１の長さは、用紙サイズに応じて自由に定めることが可能だが、Ａ３用紙迄のサイズは、ミシン目３の交差点で入れ止めることで、スペースＣ、Ｄ、Ｅ部分の使い勝手が良い。しかし、ミシン目１を最下部迄通し入れて、用紙全体を縦折すれば、スペースＣ、Ｄ、Ｅ部を用紙裏側に折込収納できるが、ミシン目４及びミシン目９又は１０が機能するので、ミシン目を途中止めしても別段の支障は生じない。ついては、用紙のエンドユーザーが延長線上に切目をたやすく加え入れることも可能にしている。
折込用ミシン目４は、ハガキの巾サイズより大きいスペース部分を折込収納する目的の他に、細分化用ミシン目１０とのバランス上及び使い勝手に良いから、片一方をハガキサイズに、もしくはＤとＥを２等分するミシン目入れが好ましい。このミシン目１０は、用紙のエンドユーザーが、応募ハガキ用やチケットカード用並びに書込用又は各種印刷用として、用途自由自在に加え入れできることも説明表示して、のりしろ開封ミシン目付ハガキ封筒用紙にした。
【００１７】
これらののりしろ開封ミシン目付ハガキ封筒用紙を用いて、用紙の表面スペースＢの裏面に、スペースＡと同様の切手貼枠と郵便番号枠を印刷表示して、のりしろ開封ミシン目付往復ハガキ封筒用紙にした。
【００１８】
ミシン目１、２、３、４、５、６、７、９を入れ設けたハガキ封筒用紙の中央に、センター折用ミシン目８を加え入れた用紙は、のりしろミシン目５、９及びのりしろミシン目６並びに７部分を貼り合わせて使用できる、のりしろ開封ミシン目付２ツ折ハガキ封筒用紙にした。
【００１９】
別途Ａ３サイズ紙では、２ツ折型封筒又は折込型封筒のいづれの制作にも、ミシン目がハガキサイズ規格に合致するので、スペースＡ、Ｂが収まる。よって、センター折用ミシン目８と主要構造ミシン目３を一本化して兼用できる。
【００２０】
これらの用紙を用いて、スペースＢの裏面に、スペースＡと同様の切手貼枠と郵便番号枠を印刷表示しておくことで、受取人は開封後に、センター折用ミシン目８を反対方向に折り返すことによって、再び返信用封筒に利用できると説明表示している、のりしろ開封ミシン目付２ツ折往復ハガキ封筒用紙にする。
【００２１】
収納折込用ミシン目４の上部分及び下部分の余白スペースを書込用や印刷用だけでなく、写真や回数券のカード化等に、枠物化する細分化用ミシン目１０を入れ備えたハガキ封筒用紙は、更に多種多様な印刷物の用紙に用いられる。こののりしろ開封複合ミシン目付ハガキ封筒用紙を含めて、それぞれの用紙サイズ及びミシン目形態並びにその使用方法を表示して揃え入れた詰め合わせケースを、ミシン目付ハガキ封筒用紙詰合せパック商品としている。
【００２２】
図２に示されている実施例では、あらゆるサイズの用紙が定形又は定形外郵便物のハガキ又は封筒を形成することのできる規格内サイズに準拠しており、スペースＡ、Ｂ部分の短辺サイズが等しい主要構造ミシン目１、２、３を設けて、簡易ミシン目付ハガキ封筒用紙にしている。
【００２３】
図３に示されている実施例では、ハガキや封筒に形成する主要構造ミシン目１、２、３を入れた一枚の用紙だけを持って、書込印刷封書に使用することができる、裏面が密封用のりしろｂ、ｃ及び切取開封用ミシン目６、７を入れ備えて、のりしろ開封ミシン目付ハガキ封筒用紙にしている。
【００２４】
図４に示されている実施例では、各種用途サイズの用紙にハガキや封筒及び封書便箋等に形成する主要構造ミシン目１、２、３を設けて、表面のあて先用スペースＡに表示した切手郵便番号枠と同様に、スペースＢの裏にも切手郵便番号枠を印刷表示し、切取って返信用ハガキ又は逆折仕様で返信用封筒が制作できる、ミシン目付往復ハガキ封筒用紙にしている。
【００２５】
図５に示される実施例では、ハガキ及び封筒を形成する主要構造ミシン目１、２、３及び余白スペースＤ、Ｅをハガキ巾サイズ内に形成する機能の折込収納用ミシン目４を入れ備え、さらに封書を堅牢化する機能ののりしろ開封用ミシン目５を設けたハガキ封筒用紙にしている。
【００２６】
図６に示される実施例では、各種用途サイズのハガキ封筒用紙の製造に機軸となる主要構造ミシン目１、２、３及び余白部分折込収納用ミシン目４並びに折込封書堅牢化機能ののりしろ兼用開封ミシン目５並びにのりしろ開封ミシン目６、７を設け、さらには用紙全体を２ツ折して封筒にできるセンター折用ミシン目８とそれを補完する２ツ折封書制作用のりしろミシン目９を入れ備えて、２ツ折開閉のりしろミシン目付ハガキ封筒用紙にした。
【００２７】
【発明の効果】
本発明は、以上説明したような形態で実施され、以下に記載されるような効果を奏する。
【００２８】
各種用途サイズ紙の一枚の用紙に、ハガキや封筒を形成する主要構造ミシン目を入れ備えることで、用紙裏表両面全体を活用しての、ハガキ又は封筒並びに封書ができる紙製品であるミシン目付ハガキ封筒用紙を製造することができる。
【００２９】
主要構造ミシン目と他のミシン目を入れ備えることで、宛先や内容及び容量や使用目的に応じた書込やコピー又はプリント及び簡易印刷等に使用でき、設けられたミシン目を利用して切り折りやのり付けができる。しかも、印刷後の不規則な紙折りやミシン目入れ作業も不要となるので、簡単にハガキや封筒並びに封書をたった一枚の用紙だけで制作することができる。
【００３０】
この製造市販されるミシン目付ハガキ封筒用紙は、手書やコピー用又はプリンター用もしくは簡易印刷、オフセット印刷にも使用できるので、繁雑で煩わしい手書きによる書込作業や印刷物の印刷工程を簡略化することができる。
【００３１】
個人や企業又は商店を問わず、一枚のミシン目付ハガキ封筒用紙を用いれば、ハガキや封筒及び便箋等の用紙を個別に準備しなくても、随時かつ随意にパソコンに入力表現することで、必要数量のみをタイムリーにプリントアウトできる。
【００３２】
ついては、信書の手紙やＤＭ及び広告物等のあらゆる手書やコピー又は印刷において、煩雑な事務処理作業を解消するばかりでなく、外注制作等による受発注過程で必然的に生じる不用で不急な印刷物の排出を阻止することができる。
よって、手間を含む無駄な諸費用支出を阻止できて、コスト軽減が得られる。
【００３３】
一枚の用紙であるミシン目付きハガキ封筒用紙を用いれば、ハガキ又は封筒及び封書に切折成形できる機能により、返信用ハガキだけでなく、ミシン目を折り返しての返信用封筒にも再使用できるので、必要に応じての書込やプリント又は物品入りの往復郵便物として利用できる機能性と利便性を得ることができる。
【００３４】
ついては、一枚のハガキ封筒用紙の裏表全体を用いて、案内書や申込書面とそれに対応する返答書や書込書面として一括作成使用することができるので、受発信者双方が手間とコストを省けるだけでなく、別の用紙を必要としなくなるので、書面内容伝達の正確性と一貫性及び整合性を堅持保全することができる。
【００３５】
また、ハガキ封筒用紙を用いた封書の受取人の返信方法として、ハガキ又は封書形成のいづれの使用も可能となるので、差出人と受取人双方のコンテンツにおいて、書面及び封入物品の内容とその選択領域が豊富かつ飛躍的に拡大される。
【００３６】
差出人が小包や信書又はＤＭ等の封書作成にこのミシン目付ハガキ封筒用紙を用いることで、送り状に併記される内容書面の表現効果を高められるだけでなく、この封書に入れる商品やサンプル品等の包装及び郵送パッケージとして使用できることから、封入品と表示内容を効果的に一体化して表現することができる。
【００３７】
ついては、郵便封筒に封入される物品とその案内書や説明書等を、ハガキ封筒用紙一枚に一体表現できると、物品と書面と包装ケース機能が相互補完して分離されないので、販売促進やＤＭ制作で絶大かつ新しい使用効果を生じる。
【００３８】
また、従来の書簡や物品の送達方法では、必ず封入されている別紙用紙類が、この手法によって減少又は不要となるので、簡潔で取扱易く、重複記載の手間と表示が無くなり、手軽でシンプルな包装封書スタイルに仕上がる。
【００３９】
また、各種サイズ紙からなるこれらのハガキ封筒用紙は、インターネットによる文章や写真をメール転送入力して掲載表示できるので、規格商品としての汎用の原稿用紙にもなる。よって、一般家庭や企業商店において常備されることにより、何時でも何処でも誰でも利用することができる。
【００４０】
また、旅先で売られている絵ハガキがこのハガキ封筒用紙で作られていれば、店先のプリンターやデジカメを用いて、用紙余白部分にオリジナルの写真や文章の書込みができる。さらには、これを封書にした上で、そこにある草花やおみやげ品等を封入して投函することも可能となるので、送り送られる人に喜ばれ、その商店ばかりでなく地域社会の発展と町や村おこしにも役立つことができる。
【００４１】
個人や企業及び商店がこのミシン目付ハガキ封筒用紙を用いて、オリジナルの郵便封書や社封筒をプリント制作できる他、ＤＭ用としての案内書や説明書を宛名と併記印刷した上で、そのサンプルや試供品等を同封することもできる。
ついては、アンケートやご意見もしくは、物品や作品を同封して返信される往復ハガキ又は返信封筒として使用することもできる。
また、市場調査や販売促進に活用できるばかりでなく、用紙余白部分を細分化、区分化しての引換券・クーポン券・割引券等の各種カード類にするなど、様々な活用方法が考案されるので、顧客サービスと新規客獲得のための新しいマーケティング効果が得られる。
【図面の簡単な説明】
【図１】複合成形折込型ミシン目付ハガキ封筒用紙の表面図である。
【図２】簡易ミシン目付ハガキ封筒用紙の表面図である。
【図３】のりしろミシン目付ハガキ封筒用紙の表面図である。
【図４】ミシン目付往復ハガキ封筒用紙の表裏面図である。
【図５】折込収納型開封ミシン目付きハガキ封筒用紙の表面図である。
【図６】２ツ折兼用折込型開封ミシン目付往復ハガキ封筒用紙の表面図である。
【符号の説明】
１  郵便ハガキと封筒規格に準拠した縦サイズを定めるミシン目
２、３  郵便ハガキと封筒規格に準拠した横サイズを定めるミシン目
４  余白部分を封書サイズ内に細分化折込収納するためのミシン目
５  封書を成形するのりしろ開封用の横ミシン目
６、７  封書を成形するのりしろ開封用の縦ミシン目
８  封筒を成形する用紙センター折用ミシン目
９  ミシン目５の対もしくは同様の機能を持つのりしろ用ミシン目
１０  分割細分化用ミシン目
Ａ  郵便ハガキ又は封書の宛名用スペース
Ｂ、Ｃ、Ｄ  書込又は印刷用スペース
Ｅ  目的用途に応じて細分化可能なスペース
ａ、ｂ、ｃ、ｄ  密封用のりしろスペース
【図１】
2004181923.tif 000003
【図２】
2004181923.tif 000004
【図３】
2004181923.tif 000005
【図４】
2004181923.tif 000006
【図５】
2004181923.tif 000007
【図６】
2004181923.tif 000008